(57)【要約】【課題】Ｒ、Ｇ、Ｂのサブピクセル間のクロストークを抑止した高画質なプラズマディスプレイパネル（ＰＤＰ）を実現することを目的とする。【解決手段】一つの放電セル４１を構成する一対の走査電極１２のバス電極１２ｂと維持電極１３のバス電極１３ｂとの間の隔壁３４上に放電抑止層２０を形成している。バス電極１２ｂ、１３ｂの厚みの影響をうけ誘電体層１６および保護層１７に突出部１８が形成されていて、前面板と背面板とを対向配置すると、隔壁３４と保護層１７との間に空隙部１９が生じる。そこで、色相の異なる放電セル４１ａ、４１ｂ、４１ｃ間の隔壁３４上の空隙部１９に放電抑止層２０を形成することで、放電セル４１ａ、４１ｂ、４１ｃ間の電子、電荷、またはガス等の移動が遮られクロストークを防止することができる。【選択図】図２
2008041538.tif 000002
【特許請求の範囲】
【請求項１】
前面側の基板と背面側の基板とを対向配置したプラズマディスプレイパネルであって、
前記前面側の基板には、バス電極を有し互いに平行に配列された複数の表示電極と、前記表示電極を覆うように形成された誘電体層とを備え、
前記背面側の基板には、前記表示電極と交差する方向に配列されたアドレス電極と、前記表示電極と前記アドレス電極とが交差する位置に放電セルを形成する隔壁とを備え、
前記隔壁と前記前面側の基板との間に生じた空隙部に放電抑止層を設けたことを特徴とするプラズマディスプレイパネル。
【請求項２】
前記放電抑止層は前記背面側の基板の前記隔壁の上に形成されたことを特徴とする請求項１記載のプラズマディスプレイパネル。
【請求項３】
前記放電抑止層は灰色または黒色であることを特徴とする請求項２記載のプラズマディスプレイパネル。
【請求項４】
前記放電抑止層は、前記前面側の基板のバス電極とバス電極との間に形成されたことを特徴とする請求項１記載のプラズマディスプレイパネル。
【請求項５】
前記放電抑止層はＢｅ、Ｍｇを除くＩＩ族金属の酸化物、フッ化物、単体化合物、混合化合物を少なくとも一つ含むことを特徴とする請求項４記載のプラズマディスプレイパネル。
【請求項６】
前記表示電極のそれぞれは、前記バス電極に電気的に接続され、かつ前記放電セル毎に分離された形状を持つ透明電極を有することを特徴とする請求項１から請求項５のいずれか一項記載のプラズマディスプレイパネル。
【発明の詳細な説明】
【技術分野】
【０００１】
本発明は表示デバイスとして知られているプラズマディスプレイパネルに関するものである。
【背景技術】
【０００２】
近年、双方向情報端末として大画面、壁掛けテレビへの期待が高まっており、そのための表示デバイスとして、液晶表示パネル、フィールドエミッションディスプレイ、エレクトロルミネッセンスディスプレイ等の数多くのものがある。これらの表示デバイス中でもプラズマディスプレイパネル（以下、「ＰＤＰ」と記す）は、自発光型で美しい画像表示ができ、大画面化が容易である等の理由から、視認性に優れた薄型表示デバイスとして注目されており、高精細化および大画面化に向けた開発が進められている。
【０００３】
このＰＤＰは電極、誘電体層、隔壁、蛍光体層、ＭｇＯによる保護層等の構成物をそれぞれ形成した前面板と背面板とを、内部に微小な空間（内部空間）を形成するように対向配置するとともに、周囲を封着部材により封止している。そして、その内部空間にネオン（Ｎｅ）およびキセノン（Ｘｅ）等を混合してなる放電ガスを、例えば６６５００Ｐａ（約５００Ｔｏｒｒ）程度の圧力で封入している。
【０００４】
ここで前面板は、電極（表示電極）上の一面に誘電体層、保護層を形成するため、電極位置の保護層が膨らみ前面板と背面板とを対向させたとき隙間が生じる。そのため内部空間を分割した放電セルのうち、発光すべきでない放電セルまでが発光するクロストークが起きることがあった。特に高精細化に伴い放電セルの大きさが、小さくなるほどクロストークは起きやすくなる。
【０００５】
このような問題に対し、保護層上に表示電極に平行に放電抑止膜を設ける構成が開示されている（例えば、特許文献１参照）。特許文献１では、表示電極対の間の隣接画素間に放電抑止膜を設けて隔壁に当接させている。
【特許文献１】特開２００２−５６７７５号公報
【発明の開示】
【発明が解決しようとする課題】
【０００６】
特許文献１の方法では、隣接画素間に放電抑止膜を設けているので異なる画素間でクロストークが起きにくくなる。しかしながらカラーＰＤＰでは、一つの画素は赤色（Ｒ）、緑色（Ｇ）、青色（Ｂ）のサブピクセルからなっている。特許文献１の方法ではＲ、Ｇ、Ｂのサブピクセル間に放電抑止膜を設けていないため、サブピクセル間でクロストークが起きる場合がある。当然のことながら、サブピクセル間でクロストークが起きると、必要な色再現ができなくなり画質を低下させることになる。
【０００７】
本発明はこのような状況に鑑みてなされたものでＲ、Ｇ、Ｂのサブピクセル間のクロストークを抑止した高画質なＰＤＰを実現することを目的とする。
【課題を解決するための手段】
【０００８】
上記の目的を達成するために本発明は、前面側の基板と背面側の基板とを対向配置したＰＤＰであって、前面側の基板には、バス電極を有し互いに平行に配列された複数の表示電極と、表示電極を覆うように形成された誘電体層とを備え、背面側の基板には、表示電極と交差する方向に配列されたアドレス電極と、表示電極とアドレス電極とが交差する位置に放電セルを形成する隔壁とを備え、隔壁と前面側の基板との間に生じた空隙部に放電抑止層を設けた構成とする。
【０００９】
このような構成のＰＤＰとすると、放電抑止層が色相の異なる蛍光体層間の電子、電荷、またはガス等の移動を遮る。その結果、異なる色相である、例えばＲ、Ｇ、Ｂのサブピクセル間のクロストークを抑止した高画質のＰＤＰとなる。
【００１０】
また本発明のＰＤＰの放電抑止層は、背面側の基板の隔壁の上に形成されるようにしてもよい。
【００１１】
このように背面側の基板の隔壁上に放電抑止層を形成すると、前面側の基板と位置合わせも従来と同じに行うことができ、位置合わせに特別な工夫を施す必要もない。
【００１２】
また本発明のＰＤＰの放電抑止層は、灰色または黒色としてもよい。
【００１３】
非発光領域である隔壁上に灰色または黒色の放電抑止層とすることで、コントラストをより向上させることができる。
【００１４】
また本発明のＰＤＰの放電抑止層は、前面側の基板のバス電極とバス電極との間に形成されるようにしてもよい。
【００１５】
このような放電抑止層とすると、色相の異なる蛍光体層間のサブピクセル間でクロストークを防止できるとともに、放電抑止層の材料に不純物ガスを吸収および放電開始電圧を低下させることもできる。
【００１６】
また本発明のＰＤＰの放電抑止層はＢｅ、Ｍｇを除くＩＩ族金属の酸化物、フッ化物、単体化合物、混合化合物を少なくとも一つ含むようにしてもよい。
【００１７】
これらの材料は、特にガスの吸収特性がよく、２次電子放出係数の高いものである。
【００１８】
また本発明のＰＤＰ表示電極のそれぞれは、バス電極に電気的に接続され、かつ放電セル毎に分離された形状を持つ透明電極を有するようにしてもよい。
【００１９】
このような形状の透明電極を備えた表示電極では、放電が隔壁から離れて起きるため、上述の放電抑止層を設けると、よりクロストークを防止する効果を高めることができる。
【発明の効果】
【００２０】
本発明のＰＤＰによればＲ、Ｇ、Ｂのサブピクセル間のクロストークを抑止することができるため、高画質なＰＤＰを実現することができる。
【発明を実施するための最良の形態】
【００２１】
以下、本発明の実施の形態のＰＤＰについて図面を用いて説明する。
【００２２】
（第１の実施の形態）
図１は、本発明の第１の実施の形態のＰＤＰの概略構成を示す断面斜視図である。図１に示すようにＰＤＰは、前面板１０と背面板３０とから構成されている。
【００２３】
前面板１０は、フロート法による硼珪素ナトリウム系ガラス等からなるガラス基板等の透明な前面側の基板１１上に、ＰＤＰの構成物として走査電極１２と維持電極１３とで対をなすストライプ状の互いに平行に配列された複数の表示電極１４が形成されている。また、コントラストを向上させる目的でブラックストライプ１５が形成されている。さらに前面板１０は、表示電極１４群を覆う誘電体層１６、誘電体層１６を覆う保護層１７が形成されている。
【００２４】
ここで、走査電極１２および維持電極１３は、それぞれ透明電極１２ａ、１３ａおよびこの透明電極１２ａ、１３ａに電気的に接続されたＣｒ／Ｃｕ／ＣｒまたはＡｇ等からなるバス電極１２ｂ、１３ｂから構成されている。このバス電極１２ｂ、１３ｂが金属電極であり、通常は抵抗を下げる目的で２μｍ〜１０μｍ程度の厚みを有する。このため、そのバス電極１２ｂ、１３ｂを覆うように形成される誘電体層１６および保護層１７が、十分にバス電極１２ｂ、１３ｂの膜厚を吸収できずに突出し突出部１８が形成される。そして、突出部１８間の空隙部１９に放電抑止層２０を形成している。
【００２５】
背面板３０は、基板１１に対向配置される背面側の基板３１上に、ＰＤＰの構成物として、表示電極１４と交差する方向に配列されたアドレス電極３２と、そのアドレス電極３２を覆う下地層である下地誘電体層３３が形成されている。また背面板３０は、下地誘電体層３３上の、例えばストライプ状の隔壁３４と、この隔壁３４間の側面および下地誘電体層３３の表面に形成した蛍光体層３５とが形成されている。そして、カラー表示のために蛍光体層３５は通常、赤色蛍光体層３５ａ、緑色蛍光体層３５ｂ、青色蛍光体層３５ｃの３色が順に配置されている。
【００２６】
以上の前面板１０と背面板３０とを、表示電極１４とアドレス電極３２とが直交し、内部に微小な内部空間を形成するように隔壁３４を挟んで対向配置するとともに、周囲を封着部材により封止する。そしてその内部空間に、ＮｅおよびＸｅ等を混合してなる放電ガスを６６５００Ｐａ（５００Ｔｏｒｒ）程度の圧力で封入しＰＤＰを構成している。なお、図１では内部の構成がわかりやすいように、前面板１０と背面板３０とは離して描いているが、実際には前面板１０と背面板３０とは、隔壁３４を挟んだ状態で対向配置されている。
【００２７】
そしてアドレス電極３２、表示電極１４に印加する周期的な電圧によって放電を発生させ、この放電による紫外線を蛍光体層３５に照射して可視光に変換させることにより、画像表示を行う。
【００２８】
図２（ａ）は、本発明の第１の実施の形態のＰＤＰの画像表示部の概略構成を示す平面図、図２（ｂ）は図２（ａ）のＡ−Ａ線断面図である。図２に示すように、走査電極１２と維持電極１３とは、マトリクス表示の各ラインにおいて放電ギャップ４０を挟んで隣接するように紙面の縦方向である列方向に交互に配列されている。ここで、ＰＤＰの内部空間の隔壁３４によって区画され、表示電極１４とアドレス電極３２とが交差する位置に、単位発光領域である、例えば赤色を発光する放電セル４１ａ（サブピクセル）が形成される。同様に緑色を発光する放電セル４１ｂ、青色を発光する放電セル４１ｃが形成され、一組の放電セル４１ａ、４１ｂ、４１ｃで一つの画素（ピクセル）を構成する。また、非発光領域４２には、コントラストを向上させる目的でブラックストライプ１５を形成している。
【００２９】
そして、一つの放電セル４１を構成する一対の走査電極１２のバス電極１２ｂと維持電極１３のバス電極１３ｂとの間の隔壁３４上に放電抑止層２０を形成している。図２（ｂ）に示すように、バス電極１２ｂ、１３ｂの厚みの影響をうけ誘電体層１６および保護層１７に突出部１８が形成されている。したがって、前面板１０と背面板３０とを対向配置すると、隔壁３４と保護層１７との間に空隙部１９が生じる。そこで、色相の異なる放電セル４１ａ、４１ｂ、４１ｃ間の隔壁３４上の空隙部１９に放電抑止層２０を形成することで、放電セル４１ａ、４１ｂ、４１ｃ間の電子、電荷、またはガス等の移動が遮られクロストークを防止することができる。
【００３０】
ここで放電抑止層２０を形成する材料としてはカルシウム（Ｃａ）、バリウム（Ｂａ）、ストロンチウム（Ｓｒ）、ランタン（Ｒａ）等のベリリウム（Ｂｅ）、マグネシウム（Ｍｇ）を除くＩＩ族金属の酸化物、フッ化物、単体化合物、混合化合物の中から選ばれる少なくとも一つを含むものである。また酸化物としては酸化マグネシウム（ＭｇＯ）、酸化カルシウム（ＣａＯ）、酸化バリウム（ＢａＯ）、酸化ストロンチウム（ＳｒＯ）を、フッ化物としてはフッ化マグネシウム（ＭｇＦ）、フッ化カルシウム（ＣａＦ）、フッ化バリウム（ＢａＦ）、フッ化ストロンチウム（ＳｒＦ）を挙げることができる。
【００３１】
次に、放電抑止層２０の形成方法について説明する。放電抑止層２０は、上述の材料とエチルセルロース等の樹脂、ターピネオール等の有機溶剤を含むバインダ成分とを混練したペーストを用い、印刷法により形成する。このとき放電抑止層２０は、前面板１０の保護層１７上の隔壁３４の対向する位置に形成してもよいし、背面板３０の隔壁３４上に形成してもよい。ただし、放電抑止層２０を隔壁３４上に形成する方が、前面板１０と背面板３０とを位置合わせする際に位置ずれを起こすこともなくなる。ここで放電抑止層２０を隔壁３４上に形成する場合は、隔壁３４の形状に帯状に印刷しておく。
【００３２】
なお、放電抑止層２０を形成する材料に黒色顔料等を混ぜ、放電抑止層２０を黒色または灰色にしてもよい。放電抑止層２０は隔壁３４上に形成されるので、放電セル４１の透過率を低下させることなく、コントラストを向上させることができる。
【００３３】
また、放電抑止層２０はフォトリソ法を用いて形成してもよいし、隔壁３４上に形成する場合は、インクジェット法で形成してもよい。
【００３４】
また前面板１０のバス電極１２ｂ、１３ｂの膜厚が例えば５μｍの場合は、誘電体層１６の膜厚により変化するが、誘電体層１６および保護層１７に形成される突出部１８は２μｍ程度になる。このように突出部１８の大きさは様々であるが、突出部１８の大きさに応じて放電抑止層２０を形成する粉末、または粒子のサイズをコントロールして、空隙部１９を埋めるために最適な粉末、または粒子のサイズを用いればよい。
【００３５】
（第２の実施の形態）
図３（ａ）は、本発明の第２の実施の形態のＰＤＰの画像表示部の概略構成を示す平面図、図３（ｂ）は図３（ａ）のＢ−Ｂ線断面図である。図３に示すように、本発明の第２の実施の形態のＰＤＰでは、放電抑止層５０を一つの放電セル４１を構成する一対の走査電極１２のバス電極１２ｂと維持電極１３のバス電極１３ｂとの間で、隔壁３４と保護層１７との間の空隙部１９に帯状に形成している。
【００３６】
このような放電抑止層５０を形成すると、異なる色相の放電セル４１ａ、４１ｂ、４１ｃ間の電子、電荷、またはガス等の移動が遮られクロストークを防止することができる。そしてこのような帯状の放電抑止層５０であれば、前面板１０と背面板３０との位置合わせは容易であり、製品歩留まりを向上させることができる。
【００３７】
このように放電抑止層５０は、発光領域である放電セル４１を覆う。そこで放電抑止層５０を形成する材料としてはＣａ、Ｂａ、Ｓｒ、Ｒａ等のＢｅ、Ｍｇを除くＩＩ族金属の酸化物、フッ化物、単体化合物、混合化合物の中から選ばれる少なくとも一つを含むものとすればよい。ここで酸化物としてはＭｇＯ、ＣａＯ、ＢａＯ、ＳｒＯを、フッ化物としてはＭｇＦ、ＣａＦ、ＢａＦ、ＳｒＦを挙げることができる。これらの材料は、２次電子放出性能が高く、放電開始電圧を低下させることができる。また、水や二酸化炭素と容易に結合して安定な物質を形成するため、放電ガス中の不純物ガスを吸収し、画質劣化を抑制できる。
【００３８】
さらに、放電抑止層５０を形成する材料として、透過率の低下が小さい酸化アルミニウム（Ａｌ２Ｏ３）、酸化チタン（ＴｉＯ２）、酸化ケイ素（ＳｉＯ２）、酸化ジルコニウム（ＺｒＯ２）を用いてもよい。特にＡｌ２Ｏ３、ＳｉＯ２はガスの吸着材としての効果が大きく、放電ガス中の不純物ガスである水蒸気、二酸化炭素を容易に結合して取り込む。
【００３９】
また放電抑止層５０を放電セル４１ａ、４１ｂ、４１ｃ内の部分と、隔壁３４の部分とで材料を異ならせて形成してもよい。例えば、放電セル４１ａ、４１ｂ、４１ｃ内の部分にはＡｌ２Ｏ３、ＳｉＯ２を原材料とするペーストとし、隔壁３４の部分には黒色顔料を混ぜたペーストとする。このような放電抑止層５０とすると、異なる色相の放電セル４１ａ、４１ｂ、４１ｃ間のクロストークを防止できるとともに、不純物ガスを吸収し画質劣化を抑制しコントラストを向上させることができる。
【００４０】
なお放電抑止層５０のうち、透明電極１２ａ、１３ａに対向する領域にＭｇＯ粒子を材料として形成すれば、放電に対する耐スパッタ性をより向上させられる。
【００４１】
また放電抑止層５０の形成方法は、本発明の第１の実施の形態と同様に上述の材料とエチルセルロース等の樹脂、ターピネオール等の有機溶剤を含むバインダ成分とを混練したペーストを用い、印刷法により形成する。このとき放電抑止層５０は、前面板１０の保護層１７上の隔壁３４の対向する位置に形成する。このように放電抑止層５０を保護層１７上に帯状に形成すると、前面板１０と背面板３０とのアライメントが容易となり、歩留まりが向上する。
【００４２】
図４（ａ）は、本発明の他の実施の形態のＰＤＰの画像表示部の概略構成を示す平面図、図４（ｂ）は図４（ａ）のＣ−Ｃ線断面図である。図４と図３との異なる点は、図４ではさらに非発光領域４２であるブラックストライプ１５に対応する空隙部１９にも、放電抑止層５１を形成したことである。
【００４３】
このような放電抑止層５１を形成したことで、隣接画素間のクロストークを防止できる。また非発光領域４２に対応する放電抑止層５１の材料は、上述のＢｅ、Ｍｇを除くＩＩ族金属の酸化物、フッ化物の中から選ばれる少なくとも一つとする。そして放電セル４１に対応する放電抑止層５０には、Ｂｅ、Ｍｇを除くＩＩ族金属の酸化物、フッ化物、単体化合物、混合化合物の中から選ばれる少なくとも一つを含むもの、または透過率の低下が小さいＡｌ２Ｏ３、ＴｉＯ２、ＳｉＯ２、ＺｒＯ２のうちのいずれかとする。その結果、放電抑止層５１が不純物ガスの吸着を行い、放電抑止層５０が透過率を大幅に低下させることなく放電開始電圧を低下させることができる。
【００４４】
さらに、図５（ａ）は、本発明の他の実施の形態のＰＤＰの画像表示部の概略構成を示す平面図、図５（ｂ）は図５（ａ）のＤ−Ｄ線断面図である。図５では、走査電極１２および維持電極１３のそれぞれ透明電極１２ｃ、１３ｃの形状を以下のようにしている。すなわち表示電極１４のそれぞれは、バス電極１２ｂ、１３ｂに電気的に接続され、かつ放電セル４１毎に分離された形状の透明電極１２ｃ、１３ｃを有している。
【００４５】
図５に示すように透明電極１２ｃ、１３ｃを前面側の基板１１から見たとき、それぞれの透明電極１２ｃ、１３ｃは隣接する隔壁３４間に隔壁３４から所定距離ｄだけ離してバス電極１２ｂ、１３ｂから凸形状に形成されている。そして放電抑止層５２は、本発明の第１の実施の形態と同じく、隔壁３４の上に形成されている。
【００４６】
このような透明電極１２ｃ、１３ｃの形状とすると、隔壁３４から離れて放電が行われ、よりクロストークを防止できるようになる。これは、放電が隔壁３４から離れて行われるため隔壁３４を越えての電子、電荷、またはガス等の移動が生じにくくなるからである。そして、放電抑止層５２に上述の不純物ガスを吸収しやすい材料を用いた場合、放電にさらされることで不純物ガスの再放出が促されるが、放電が放電抑止層５２から離れた領域で起こるため、不純物ガスの再放出も抑制される。ただし放電抑止層５２の形状としては、本発明の第２の実施の形態の帯状であっても、このような透明電極１２ｃ、１３ｃの形状によるクロストークの防止効果は大きくなる。
【００４７】
なお本発明の実施の形態では、ストライプ形状の隔壁構造で説明したが、マトリクス形状やトライアングル形状の隔壁構造であっても、サブピクセル間に隔壁があるものであれば同様の効果が得られる。
【産業上の利用可能性】
【００４８】
本発明のＰＤＰによればＲ、Ｇ、Ｂのサブピクセル間のクロストークを抑止することができるため、高画質なＰＤＰを実現でき、高精細なディスプレイパネルを提供できる。
【図面の簡単な説明】
【００４９】
【図１】本発明の第１の実施の形態のＰＤＰの概略構成を示す断面斜視図
【図２】（ａ）同ＰＤＰの画像表示部の概略構成を示す平面図（ｂ）図２（ａ）のＡ−Ａ線断面図
【図３】（ａ）本発明の第２の実施の形態のＰＤＰの画像表示部の概略構成を示す平面図（ｂ）図３（ａ）のＢ−Ｂ線断面図
【図４】（ａ）本発明の他の実施の形態のＰＤＰの画像表示部の概略構成を示す平面図（ｂ）図４（ａ）のＣ−Ｃ線断面図
【図５】（ａ）本発明のさらに他の実施の形態のＰＤＰの画像表示部の概略構成を示す平面図（ｂ）図５（ａ）のＤ−Ｄ線断面図
【符号の説明】
【００５０】
１０    前面板
１１，３１    基板
１２    走査電極
１２ａ，１２ｃ，１３ａ，１３ｃ    透明電極
１２ｂ，１３ｂ    バス電極
１３    維持電極
１４    表示電極
１５    ブラックストライプ
１６    誘電体層
１７    保護層
１８    突出部
１９    空隙部
２０，５０，５１，５２    放電抑止層
３０    背面板
３２    アドレス電極
３３    下地誘電体層
３４    隔壁
３５    蛍光体層
３５ａ    赤色蛍光体層
３５ｂ    緑色蛍光体層
３５ｃ    青色蛍光体層
４０    放電ギャップ
４１，４１ａ，４１ｂ，４１ｃ    放電セル
４２    非発光領域
【図１】
2008041538.tif 000003
【図２】
2008041538.tif 000004
【図３】
2008041538.tif 000005
【図４】
2008041538.tif 000006
【図５】
2008041538.tif 000007